(57)【要約】      （修正有）【課題】コンピューター（一般的にパーソナルコンピューター、またはパソコンという）、ゲーム機などの機器のマウス操作による疲労を改善する装置を提供すること。【解決手段】装置１は、手首の支点となるクッション部に磁石４を用いた磁気的、低周波治療器２及び電極３を用いた電気的、振動的、温熱的エネルギーを発生するデバイス、または皮膚に刺激を与えるデバイスを備える。装置１は、マウスパッドと一体化され、さらに接着パッド付き電極を使用者の肘、肩に貼付し、装置１のジャック５に接続された電極を併用する。【選択図】図１
2019088746.tif 000002
【特許請求の範囲】
【請求項１】
手首の支点となるクッション部に磁気的、電気的、振動的、温熱的エネルギーを発生するデバイスまたは皮膚に刺激を与えるデバイスを設けることを特徴とする装置
【請求項２】
前記請求項１の装置は、マウスパッドと一体型されることことを特徴とする。
【請求項３】
前記請求項１、２の装置は、肘部、肩部に磁気的、電気的、振動的、温熱的エネルギーを伝導するデバイスを有することを特徴とする。
【請求項４】
前記請求項１、２、３の装置は、磁気的、電気的、振動的、温熱的エネルギーを発生するデバイスを制御するための電気回路及びソフトウェアを有することを特徴とする。
【発明の詳細な説明】
【発明の詳細な説明】
【技術分野】
【０００１】  本発明は、コンピューター（一般的にパーソナルコンピューター、またはパソコンという）、ゲーム機などの機器のマウスを操作することによる疲労を改善する装置に関する。
【背景技術】
【０００２】  一般に、マウスを操作するにはマウスの両側面を親指、薬指及び小指で把持された状態で、人差し指及び中指でボタンを押圧操作するようになって、そして手の平のつけ根側（以下、手首という）がマウスパッド上に支点となるように載置される。このような操作を長時間繰り返すと、指が冷えたり、手首が疲れてだるくなったり、肘や肩に凝りを感じたりする。これらの症状は肩、上腕、手首、指などの部位の筋肉が疲労により緊張硬直し、血行が悪くなるものであり、操作作業の効率を低下させるだけではなく、健康を害する恐れはある。【０００３】  そのような症状を改善するために、多数の改善案が提案されている。例えば、下記特許文献１に示した案では、マウスパッドの手首支点部に粘弾性体で作ったクッションを設けて、マウス操作による疲労を軽減しようとする。【０００４】  また、例えば、下記特許文献２に示した案では、マウス用アームレストを用いて、肘と手首の位置関係を改善することでマウス操作による疲労を軽減しようとする。
【先行技術文献】
【特許文献】
【０００５】
【特許文献１】特開２０１５−２２４０７
【特許文献２】特開２００７−８０１２２
【発明が解決しようとする課題】
【０００６】  しかしながら、上記特許文献１、２のような改善案は、手首がマウスパッドとの感触が柔らかくなったり、肘の位置関係を改善したりすることはできるが、肩、上腕、手首、指などの部位の筋肉が疲労になる原因、即ちマウス操作による筋肉の緊張硬直を改善できないという問題点があった。
【０００７】  そこで、本発明は、上記した問題点を解決するためのマウス操作による疲労を改善する装置を提供することを課題とする。
【発明の概要】
【課題を解決するための手段】
【０００８】  上記課題を解決するため、本発明に係るマウス操作による疲労を改善する装置は、手首の支点となるクッション部に磁気的、電気的、振動的、温熱的エネルギーを発生するデバイスまたは皮膚に刺激を与えるデバイスを設けることを特徴とする。【０００９】  なお、本発明に係るマウス操作による疲労を改善する装置は、マウスパッドと一体型されることことを特徴とする。【００１０】  なお、本発明に係るマウス操作による疲労を改善する装置は、肘部、肩部に磁気的、電気的、振動的、温熱的エネルギーを伝導するデバイスを有することを特徴とする。【００１１】  また、本発明に係るマウス操作による疲労を改善する装置は、磁気的、電気的、振動的、温熱的エネルギーを発生するデバイスを制御するための電気回路及びソフトウェアを有することを特徴とする。
【発明の効果】
【００１２】  本発明によれば、マウスの操作による疲労を改善する装置を提供することができ、マウス操作の効率性及び快適性の向上を図れる。
【図面の簡単な説明】
【００１３】
【図１】本発明の一実施形態を説明するための斜視図である。
【図２】本発明の第一実施例を説明するための斜視図である。
【図３】本発明の第二実施例を説明するための斜視図である。
【図４】本発明の第三実施例を説明するための斜視図である。
【発明を実施するための形態】
【００１４】  以下に、本発明の基本構成について説明するが、本発明の趣旨を越えない限り、何ら限定されるものではない。図１は本発明の一実施形態を示す斜視面である。
【００１５】  この実施形態に係るマウス操作による疲労を改善する装置１（以下「装置１」という）は、略枕状で、主にウレタンフォームなどの柔軟性素材及び補助材料からなる、内部に低周波治療器２を設置され、一対の手首部用電極３を装置１の上端部に使用者の手首部分と接触し易いように設けた。尚、一対の磁石４を電極３の左側に設けられた。また、肘部用電極１５、肩部用電極１６と繋げるためのジャック５を設けた。
【００１６】  低周波治療器２の電源供給方式はＵＳＢコネクターを通じてパソコンと接続する他に、外部電源、充電池、乾電池などはあるが、その表示を省略する。また、低周波治療器２を制御するには、装置１に操作バタンを設けても良いし、或いは、ＵＳＢコネクターを通じて、パソコン上で専用ソフトウェアで制御しても良い、その表示を省略する。
【００１７】公知の通り、「低周波治療器」とは、周波数の低い電流を体に流して筋肉の収縮・馳緩を起こさせ、筋肉のポンプ作用を利用して血流を良くして筋肉疲労をほぐす治療器具である。本明細書では、低周波治療器の構造及び医学的原理についての説明を省略する。
【００１８】  また、磁石は血行をよくさせ、筋肉の緊張をほぐす作用があることは良く知られている。本明細書では、其の医学的の原理についての説明を省略する。
【００１９】  図２は第一実施例を説明するための斜視図である。本例は、図１の本発明の一実施形態の装置１をマウスパッド７の上に置いて、両面テープで固定した場合である。使用者の手首部分６が装置１の上に載せマウス８を操作し、或いは操作することなく置くだけでも、自然的に電極３または磁石４と接触する、これによって、使用者の手首周辺部位の筋肉がほぐされる状態になり、疲労症状は改善される。
【００２０】  図３は第二実施例を説明するための斜視図である。本例は、図１の装置１はマウスパッドと一体化され、マウス操作による疲労を改善する装置付きマウスパッド９を使用する場合である。使用者の手首部分６が装置１の上に載せマウス８を操作し、或いは操作することなく置くだけでも、自然的に電極３または磁石４と接触する、これによって、使用者の手首周辺部位の筋肉がほぐされる状態になり、疲労症状は改善される。
【００２１】  図４は第三実施例を説明するための斜視図である。本例は、第二実施例を基に、コネクター１０をジャック５（図中に表示していない）と接続し、コード１１を通じて肘部１２用接着パッド付き電極１５、コード１３を通じて肩部１４用接着パッド付き電極１６に電気信号を伝達する。これによって、使用者の肘部１２、肩部１４の筋肉がほぐされる状態になり、疲労症状は改善される。
【産業上の利用可能性】
【００２２】  本発明によれば、疲労によるマウス操作効率の低下を改善する装置として応用できる。
【符号の説明】
【００２３】１    マウス操作による疲労を改善する装置
２    低周波治療器
３    手首部用電極
４    磁石
５    ジャック
６    手首部分
７    マウスパッド
８    マウス
９    マウス操作による疲労を改善する装置付きマウスパッド
１０  コネクター
１１  コード
１２  肘部
１３  コード
１４  肩部
１５  肘部用電極
１６  肩部用電極
【図１】
2019088746.tif 000003
【図２】
2019088746.tif 000004
【図３】
2019088746.tif 000005
【図４】
2019088746.tif 000006